(57)【特許請求の範囲】
【請求項１】
内部が放射性物質で汚染された装置又は設備を、放射性物質を密封する密封空間に収容した状態で解体するための解体装置であって、
前記密封空間を形成して前記装置又は設備を収容する収容体であり、前記密封空間内にグローブを挿入するための開口が設けられたテントと、
交換用のグローブと前記テントにおける前記開口の縁部とを密閉状態で接続するグローブ接続体とを備え、
前記グローブ接続体は、
表裏反転可能に構成された無端帯状のシート材であり、その開口縁部が前記テントにおける前記開口の縁部と接合され、前記テント内に挿入される状態と、当該状態から裏返されて前記テント外へ突出する状態とをとり得る無端帯状体と、
前記テント外へ突出した状態の前記無端帯状体からその外周側に張り出す環状のシート材であり、裏返した状態の前記交換用のグローブの根元側が溶着される溶着代と、
を備える解体装置。
【請求項２】
複数の前記グローブ接続体が、前記無端帯状体が重なった状態で設けられている請求項１に記載の解体装置。
【請求項３】
請求項１又は請求項２に記載の解体装置を用いて前記装置又は設備を解体する解体方法であって、
前記テントにおける前記開口の縁部に接続された使用済のグローブの根元部に封止具を取付ける工程と、
前記グローブ接続体を前記テント外へ突出する状態にして、該グローブ接続体の前記溶着代に、裏返した状態の前記交換用のグローブの根元側を溶着する工程と、
前記使用済のグローブを、前記封止具より先端側において、当該グローブの近傍に設けられたグローブを通して前記テント内に準備された工具を操作して切断する工程と、
前記交換用のグローブ及び該グローブに溶着された前記グローブ接続体を、表裏反転させて前記テント内に押込むと共に、前記封止具を前記交換用のグローブから取り外す工程と、
を備える解体方法。
【発明の詳細な説明】
【技術分野】
【０００１】
本発明は、内部が放射性物質で汚染された装置又は設備の解体装置及び方法に関する。
【背景技術】
【０００２】
放射性物質等の有害物質で汚染された物を包み込んで密閉することができ、外部からの手作業用のグローブが設けられたグローブバッグあるいはグローブボックスが知られている（例えば、特許文献１〜３参照）。かかるグローブバッグあるいはグローブボックスを用いることで、有害物質を外部に漏洩させることなく、有害物質で汚染された物を手作業で処理することができる。
【０００３】
また、特許文献３に記載のグローブボックスでは、シールするためのインナーリングが設けられたグローブポートにグローブがグローブボックス内の密封状態を保ったまま交換できるように取り付けられている。
【先行技術文献】
【特許文献】
【０００４】
【特許文献１】特開２００３−２００１４８号公報
【特許文献２】実開平３−４２５９９号公報
【特許文献３】実開平６−５７５８５号公報
【発明の概要】
【発明が解決しようとする課題】
【０００５】
ところで、放射性汚染物処理用のグローブボックスを解体する場合、当該グローブボックスは内部が放射能で汚染されているため、放射性物質の漏洩を防ぐために密封空間に収納して行う必要がある。そこで、解体対象のグローブボックスを収納可能な大きさの解体用のテントを設置し、該テント内にグローブを挿入することで、作業者が、密封空間の外部から解体対象のグローブボックスを解体できる。
【０００６】
ここで、上記テントのグローブを交換する際には、放射性物質の漏洩を防ぐために、特許文献３に記載のグローブボックスと同様、グローブとテントとの接続部の密封状態を保ったまま交換できるようにする必要がある。しかしながら、特許文献３に記載のグローブボックスでは、グローブを交換する際の有害物質の外部への漏洩を防ぐために、インナーリングを何重にも設けており、グローブポートの構成が複雑化している。また、グローブポートが重量化しており、テントに負荷がかかる。
【０００７】
本発明は、上記事情に鑑みてなされたものであり、解体用のテントとグローブとの接続部を複雑化及び重量化させることなく、放射性物質の漏洩を防いだ状態でのグローブの交換を可能とすることを課題とするものである。
【課題を解決するための手段】
【０００８】
上記課題を解決するため、本発明に係る解体装置は、内部が放射性物質で汚染された装置又は設備を、放射性物質を密封する密封空間に収容した状態で解体するための解体装置であって、前記密封空間を形成して前記装置又は設備を収容する収容体であり、前記密封空間内にグローブを挿入するための開口が設けられたテントと、交換用のグローブと前記テントにおける前記開口の縁部とを密閉状態で接続するグローブ接続体とを備え、前記グローブ接続体は、表裏反転可能に構成された無端帯状のシート材であり、その開口縁部が前記テントにおける前記開口の縁部と接合され、前記テント内に挿入される状態と、当該状態から裏返されて前記テント外へ突出する状態とをとり得る無端帯状体と、前記テント外へ突出した状態の前記無端帯状体からその外周側に張り出す環状のシート材であり、裏返した状態の前記交換用のグローブの根元側が溶着される溶着代と、を備える。
【０００９】
前記解体装置において、複数の前記グローブ接続体が、前記無端帯状体が重なった状態で設けられていてもよい。
【００１０】
また、本発明に係る解体方法は、前記解体装置を用いて前記装置又は設備を解体する解体方法であって、前記テントにおける前記開口の縁部に接続された使用済のグローブの根元部に封止具を取付ける工程と、前記グローブ接続体を前記テント外へ突出する状態にして、該グローブ接続体の前記溶着代に、裏返した状態の前記交換用のグローブの根元側を溶着する工程と、前記使用済のグローブを、前記封止具より先端側において、当該グローブの近傍に設けられたグローブを通して前記テント内に準備された工具を操作して切断する工程と、前記交換用のグローブ及び該グローブに溶着された前記グローブ接続体を、表裏反転させて前記テント内に押込むと共に、前記封止具を前記交換用のグローブから取り外す工程と、を備える。
【発明の効果】
【００１１】
本発明によれば、解体用のテントとグローブとの接続部を複雑化及び重量化させることなく、放射性物質の漏洩を防いだ状態でのグローブの交換を可能にできる。
【図面の簡単な説明】
【００１２】
【図１】一実施形態に係る解体装置を示す正面図である。
【図２】一実施形態に係る解体装置を示す側面図である。
【図３】使用状態のグローブ及びグローブ接続部を拡大して示す側断面図である。
【図４】グローブを交換する際のグローブ接続部を拡大して示す側断面図である。
【図５】使用済のグローブと交換用のグローブとを交換する手順を示す図である。
【図６】使用済のグローブと交換用のグローブとを交換する手順を示す図である。
【図７】使用済のグローブと交換用のグローブとを交換する手順を示す図である。
【図８】使用済のグローブと交換用のグローブとを交換する手順を示す図である。
【発明を実施するための形態】
【００１３】
以下、本発明の一実施形態を、図面を参照しながら説明する。図１は、一実施形態に係る解体装置１０を示す正面図であり、図２は、当該解体装置１０を示す側面図である。これらの図に示すように、解体装置１０は、テントフレーム３０と、テントフレーム３０に吊られて支持されると共に解体対象のグローブボックス２０を収容する解体用のテント４０と、解体作業用のグローブ１２と、グローブ１２をテント４０に交換可能に接続するグローブ接続部５０とを備えている。なお、図１の奥行き方向手前側、図２の左側を前側、その反対側を後側と称する。
【００１４】
テント４０内には、グローブボックス２０の解体に用いられるニブラーやソー等の解体工具（図示省略）や後述のキャップ１６（図４〜図７参照）などが収容されている。また、グローブボックス２０は、内部が密封空間となっている透明の箱体であり、放射性物質により汚染された機器が収容されている。また、グローブボックス２０の側面には、グローブボックス２０内での作業に用いられた複数の作業用のグローブ（図示省略）が設けられている。
【００１５】
テントフレーム３０は、グローブボックス２０が載置された床面の上に設置された直方体状の鋼製の骨組であり、４本の柱３２の上部、中央部、及び下部が、それぞれ各４本の梁３３、３５で連結された構成をしている。
【００１６】
テント４０は、難燃軟質塩化ビニルフィルム等の難燃軟質であって気密性の高いシート材で形成された直方体状の中空体である。また、テント４０は、床面上に敷かれグローブボックス２０が載置された底部４０Ａと、下端が開口した上部４０Ｂとが密封状態で接合されて形成されており、内部に密封空間４１を形成している。また、テント４０は、柔軟な素材で形成されていることにより押し潰して畳むことができる。さらに、テント４０は、透明又は半透明の素材で形成されていることにより、その内部が視認可能となっている。
【００１７】
テント４０の縁部には、多数の紐通し穴が形成されており、該紐通し穴に挿通された紐４６がテントフレーム３０に結び付けられている。これにより、テント４０が、テントフレーム３０に張架され、吊られた状態で支持されている。
【００１８】
また、テント４０の前側の面及び後側の面にはそれぞれ、複数のグローブ１２が縦横に配されている。各グローブ１２は、酢酸ビニルフィルム等の難燃軟質であって気密性の高いシール材で形成された筒状部材であり、グローブ接続部５０を介してテント４０に接続されている。また、各グローブ１２の先端には、手を模した形状のウレタン製の手部１３が設けられており、作業者は、グローブ１２に腕を挿入してテント４０内での作業を行うことができる。
【００１９】
図３は、使用状態のグローブ１２及びグローブ接続部５０を拡大して示す側断面図である。この図に示すように、グローブ接続部５０がテント４０の円状の開口４４の縁部に溶着されており、このグローブ接続部５０にグローブ１２が溶着されている。図示しているグローブ１２は、テント４０の作製時にグローブ接続部５０に溶着されたものであり、破損した場合には交換用のグローブ１２´（図４参照）に交換される。
【００２０】
グローブ接続部５０は、複数（例えば、図示するように５個）の接続体５１、５２、５３、５４、５５を備えている。接続体５１〜５５は、酢酸ビニルフィルム等の難燃軟質、且つ高気密性のシート材で無端帯状（即ち、短筒状）に形成された無端帯状体５１Ｃ〜５５Ｃと、そのテント４０側の開口縁部及びその反対側の開口縁部にそれぞれ溶着された溶着代５１Ａ〜５５Ａ、溶着代５１Ｂ〜５５Ｂとを備えている。溶着代５１Ａ〜５５Ａは、無端帯状体５１Ｃ〜５５Ｃから外周側に張り出した環状のシート材である。また、溶着代５１Ｂ〜５５Ｂは、図３に示す状態において無端帯状体５１Ｃ〜５５Ｃから内周側に張り出した環状のシート材であり、多角形状（例えば、八角形状）に形成されている。
【００２１】
無端帯状体５１Ｃ〜５５Ｃは、その径方向に重ねて設けられており、無端帯状体５１Ｃが最も外周側に設けられ、無端帯状体５２Ｃ、５３Ｃ、５４Ｃ、５５Ｃの順序で外周側から内周側に重ねて設けられている。ここで、無端帯状体５１Ｃ〜５５Ｃの長さは異なっており、最も外周側の無端帯状体５１Ｃが最も長く、無端帯状体５２Ｃ、５３Ｃ、５４Ｃ、５５Ｃの順序で所定長ずつ（例えば、３０ｍｍずつ）短くなる。
【００２２】
溶着代５１Ａ〜５５Ａは、テント４０における開口４４の縁部に、直接又は他の溶着代５１Ａ〜５５Ａを介して溶着されている。即ち、溶着代５１Ａは、テント４０における開口４４の縁部に直接溶着され、溶着代５１Ａの上に溶着代５２Ａが溶着されている。そして、溶着代５２Ａの上に溶着代５３Ａが溶着され、溶着代５３Ａの上に溶着代５４Ａが溶着され、溶着代５４Ａの上に溶着代５５Ａが溶着されている。
【００２３】
グローブ１２の根元部にはその内径方向に張り出す多角形状（例えば、八角形状）の溶着代１４が設けられており、この溶着代１４が溶着代５１Ｂに溶着されている。また、溶着代５１Ｂ〜５５Ｂは、テント４０の内部に配され、溶着代５１Ｂ、５２Ｂ、５３Ｂ、５４Ｂ、５５Ｂの順序でテント４０の内側から外側に並んでいる。
【００２４】
図４は、グローブ１２を交換する際のグローブ接続部５０を拡大して示す側断面図である。この図に示すように、グローブ接続部５０の接続体５２〜５５は、図３に示すテント４０内に押込まれた状態から裏返されることにより、引き出されてテント４０外に突出する。この状態では、最も長い接続体５２が最も内周側に設けられ、接続体５３、５４、５５の順序で内周側から外周側に重ねて設けられる。また、溶着代５２Ｂ〜５５Ｂは、テント４０の外部に配され、溶着代５２Ｂ、５３Ｂ、５４Ｂ、５５Ｂの順序でテント４０に対して遠い側から近い側に並んでいる。
【００２５】
図４に示すように、交換用のグローブ１２´は、使用状態に対して裏返した状態、即ち、溶着代１４が根元部から外周側へ張り出す状態にして、該溶着代１４を溶着代５２Ｂに溶着することで、接続体５２に接続できる。これと共に、交換対象の使用済のグローブ１２の根元部にキャップ１６を取付けた状態で、交換用のグローブ１２´と接続体５２との溶着作業を実施する。ここで、キャップ１６は、交換対象の使用済のグローブ１２の根元部を封止するための封止具であり、グローブ１２の根元部を、対向する一対の弾性片で挟むことにより封止する。
【００２６】
図５〜図８は、使用されて破損等することにより交換の必要が生じた使用済のグローブ１２と交換用のグローブ１２´とを交換する手順を示す図である。図５に示すように、まず、キャップ１６を交換対象の使用済のグローブ１２の根元部に装着して該グローブ１２の根元部を封止する。ここで、キャップ１６は、テント４０内に設置しておき、交換対象の使用済のグローブ１２の隣に設置されたグローブ１２を利用して当該作業を実施する。
【００２７】
次に、図６に示すように、交換用のグローブ１２´を接続体５２に溶着する。その際、まず、接続体５２〜５５を裏返してテント４０の外部に引き出す。そして、シーラー６０で、共に多角形の溶着代１４´と溶着代５２Ｂとを、各辺毎に溶着する。ここで、シーラー６０は、対向する一対の棒状の加熱体を備える溶着機であり、この一対の加熱体で、溶着代１４´と溶着代５２Ｂとを挟んで加圧加熱することにより、これらを溶着させることができる。
【００２８】
次に、図７に示すように、交換対象の使用済のグローブ１２を根元部から切断する。ここで、テント４０内にグローブ１２を切断するための工具を設置しておき、交換対象の使用済のグローブ１２の隣に設置されたグローブ１２を通して当該工具を操作することにより、グローブ１２を切断する。
【００２９】
次に、図８に示すように、溶着代５２Ｂに溶着した交換用のグローブ１２を裏返してテント４０内に押込むことにより、残存したグローブ１２の根元部からキャップ１６を押して外すことで接続体５１の先端を開放させる。そして、接続体５２を裏返してグローブ１２と共にテント４０の内側に更に押込み、接続体５３〜５５を裏返して接続体５２の内側に押込む。
【００３０】
以上のようにして、交換対象の使用済のグローブ１２と交換用のグローブ１２´とを交換するが、次に、グローブ１２の交換を行う場合には、交換用のグローブ１２´を接続体５３に溶着し、その次は、接続体５４に溶着し、最後は、接続体５５に溶着する。即ち、本実施形態に係る解体装置１０では、合計４個のグローブ交換用の接続体５２〜５５が設けられていることにより、４回のグローブ１２の交換が可能である。
【００３１】
ここで、交換対象の使用済のグローブ１２の根元部をキャップ１６で封止することにより、放射性物質が交換対象の使用済のグローブ１２を通してテント４０の外部に漏洩することを防止できる。また、無端帯状体５２Ｃ〜５５Ｃの全周に亘って設けた溶着代５２Ａ〜５５Ａを、テント４０の開口４４の縁部全周に亘って溶着し、無端帯状体５２Ｃ〜５５Ｃの全周に亘って設けた溶着代５２Ｂ〜５５Ｂを、交換用のグローブ１２´の根元部の全周に亘って設けた溶着代１４´に溶着することにより、交換用のグローブ１２´及び接続体５２〜５５によりグローブ接続部５０を密封することができる。さらに、裏返した状態の交換用のグローブ１２´の外側、即ち、作業者が手を入れる側は、テント４０内の空気に触れることがない。
【００３２】
従って、グローブ接続部５０に複雑なシール機構や着脱機構等の複雑な構成を要することなく、放射性物質の漏洩を防いだ状態でグローブ１２を交換することができる。また、グローブ接続部５０を難燃軟質のシート材で構成でき、重量物であるグローブポートを不要にできるため、テント４０にかかる荷重を低減でき、また、グローブポートを支持する機構を不要にできる。さらに、グローブ接続部５０を軽量化できることにより、テント４０にかかる荷重の大きさによるグローブ１２の設置数や設置場所の制約を減らすことができ、グローブ１２の設置数や設置場所の自由度を拡大することができる。
【００３３】
なお、上述の実施形態は、本発明の理解を容易にするためのものであり、本発明を限定するものではない。本発明はその趣旨を逸脱することなく、変更、改良され得ると共に本発明にはその等価物が含まれることは勿論である。
【００３４】
例えば、上述の実施形態では、汚染グローブボックスを解体する場合について説明したが、本発明はこれに限らず、汚染グローブボックス以外の、内部が放射性物質により汚染された他の装置又は設備を解体する場合にも適用できる。また、上述の実施形態では、初めにテント４０に取付けられるグローブ１２を接続体５１に溶着したが、当該グローブ１２については、直接、テント４０の開口４４の縁部に接合してもよい。さらに、接続体５１〜５５の数は、グローブ１２の交換回数に応じて適宜決めればよく、交換回数が１回の場合には、２個又は１個設ければよい。
【符号の説明】
【００３５】
１０  解体装置、１２、１２´  グローブ、１３  手部、１４、１４´  溶着代、１６  キャップ（封止具）、２０  グローブボックス（内部が放射性物質で汚染された装置又は設備）、３０  テントフレーム、３２  柱、３３、３５  梁、４０  テント、４０Ａ  底部、４０Ｂ  上部、４１  密封空間、４２  紐通し穴、４４  開口、４６  紐、５０  グローブ接続部、５１、５２、５３、５４、５５  接続体（グローブ接続体）、５１Ａ、５２Ａ、５３Ａ、５４Ａ、５５Ａ、５１Ｂ、５２Ｂ、５３Ｂ、５４Ｂ、５５Ｂ  溶着代、５１Ｃ、５２Ｃ、５３Ｃ、５４Ｃ、５５Ｃ  無端帯状体、６０  シーラー
【図１】
0005783875.tif 000002
【図２】
0005783875.tif 000003
【図３】
0005783875.tif 000004
【図４】
0005783875.tif 000005
【図５】
0005783875.tif 000006
【図６】
0005783875.tif 000007
【図７】
0005783875.tif 000008
【図８】
0005783875.tif 000009